(57)【特許請求の範囲】
【請求項１】
茶畝内の支柱は、短寸の第１角柱〜第３角柱からなり、この内第１角柱を前記茶畝内の地中に埋設するとともに、前記第３角柱に傾斜俯角調整可能、かつ風達俯角調整可能な防霜ファンを設け、前記地中の第１角柱に、第２角柱と、第３角柱を挿設し、前記防霜ファンを前記茶畝内に収容できる構成であって、
前記第３角柱に設けたモータと、このモータの軸に設けた巻胴体と、前記第２角柱に係止し、かつこの第３角柱の滑車を介して、前記巻胴体に係止したワイヤと、
前記第１角柱に係止し、かつこの第２角柱の滑車を介して、前記第３角柱に係止した他のワイヤで構成されている茶園用の昇降型低所防霜ファン装置。
【請求項２】
請求項１に記載の茶園用の昇降型低所防霜ファン装置において、
この防霜ファンの風達俯角調整を、第３角柱に設けたカバー兼支持体の上方に設けられたモータ、伝達機構、リンク機構等が内蔵されている首振り装置と、この首振り装置に設けた首振り用の回転軸と、この回転軸より垂下されたファン用のモータベースと、このモータベースに風達俯角調整部材を介して設けたファン用のモータと、このモータの軸に設けたファンとで構成し、かつこの防霜ファンは、前記第３角柱に設けたカバー兼支持体の上方に設けられた傾斜俯角調整板及び締付具を介して設ける構成とし、
この防霜ファンの傾斜俯角調整を、前記傾斜俯角調整板及び締付具を介して、第３角柱の略軸芯近傍で行う構成とした茶園用の昇降型低所防霜ファン装置。
【発明の詳細な説明】
【０００１】
【発明の属する技術分野】
本発明は、茶園用の昇降型低所防霜ファン装置に関する。
【０００２】
【従来の技術】
従来、多段式の昇降型低所防霜ファン装置に関する文献は、特開平１０−１１３０７６号の防霜ファンがある。この発明は、伸縮式のポールの先端に設けた支持部に回動自在に設けられた連結部材を介して送風機本体を首振り及び俯角調整可能に支持し、当該送風機本体の茶畝内への収容を、前記ポールの縮小と支持部の回動を利用して地面側に折畳み動作で行い、当該送風機本体の茶畝内への収容を介して大型機械の作業の遂行又は容易化を図ること、又は茶園等の景観維持を図ること、等を特徴とする。
【０００３】
【発明が解決しようとする課題】
前記文献は、ポールを伸縮式でかつ入れ子方式とし、このポールを水、空気等の流体を利用して昇降し、このポール及び流体給排用の接続パイプを地中に埋設する構成である。従って、このポール用の穴及び接続パイプ用の穴を穿設する必要があり、同時に穿設すると穴が大きくなること、及びこれに伴って穿設用の場所の確保の問題、又は大きな穴の穿設に時間、労力を要する問題等がある。また流体の供給又は排出に関して、必要とする機器（プレッサー、ポンプ、ホース等）のセット又は配管，運搬，水の供給対策、又は防霜ファン収容等の際に要する人的手段、寒さ対策、等が必要となり問題である。更に接続パイプにトラブルがあり、例えば、修理、部品等の取替え等が必要なときは、いちいち土の掘り起こし、又は地中よりの部品の取出し等が要求され、時間、労力等を要し大変である。
【０００４】
また文献は、ポールを伸縮式でかつ入れ子方式とする構成であるので、ポール及び送風機本体の昇降、送風等の際に、当該ポールが送風機本体の重みにより回転する虞れがある。従って、ポール近傍の茶樹を傷める虞があること、防霜効果が期待できない、又は危険であること、等の課題がある。この文献は、送風機本体の傾斜俯角調整がない構成である。従って、傾斜地対応に問題を残す。
【０００５】
更にこの文献は、送風機本体の収容を、支持部の折畳み動作で行う構成である。従って、摘採，消毒等を行う各種装置を速やかに使用できないこと、及び迅速な段取り，作業等ができない、省人化が図れない、等の問題がある。
【０００６】
尚、市販等されている一般的構造の防霜ファンでは、この防霜ファンの傾斜俯角調整を、支柱軸芯近傍より外れる処で行う構成である。従って、支柱に偏荷重がかかり、安定性が損なわれること、機器の損傷発生の要因となり問題である。また伸縮式の角柱による支柱構造の防霜ファンでは、防霜ファンの旋回が簡易に行えない構成である。従って、茶園の所定の場所に向かって送風することが困難であること、及び防霜効果の拡充を図れないこと等の問題がある。
【０００７】
【課題を解決するための手段】
請求項１の発明は、支柱を地中浅く埋設でき、かつ支柱用の穴の穿設に要する時間，労力等の軽減化が図れ、しかも地中の掘り起こし及び支柱設置等の簡便化、支柱の設置場所の省スペース化を図る。
【０００８】
請求項１は、茶畝内の支柱は、短寸の第１角柱〜第３角柱からなり、この内第１角柱を前記茶畝内の地中に埋設するとともに、前記第３角柱に傾斜俯角調整可能、かつ風達俯角調整可能な防霜ファンを設け、前記地中の第１角柱に、第２角柱と、第３角柱を挿設し、前記防霜ファンを前記茶畝内に収容できる構成であって、前記第３角柱に設けたモータと、このモータの軸に設けた巻胴体と、前記第２角柱に係止し、かつこの第３角柱の滑車を介して、前記巻胴体に係止したワイヤと、前記第１角柱に係止し、かつこの第２角柱の滑車を介して、前記第３角柱に係止した他のワイヤで構成されている茶園用の昇降型低所防霜ファン装置である。
【０００９】
請求項２の発明は、防霜ファンの傾斜俯角の維持を、支柱の略軸芯近傍で行うことで、安全性の向上を図り、又はこの種の機器の耐久性の向上等を図る。
【００１０】
請求項２は、請求項１に記載の茶園用の昇降型低所防霜ファン装置において、この防霜ファンの風達俯角調整を、第３角柱に設けたカバー兼支持体の上方に設けられたモータ、伝達機構、リンク機構等が内蔵されている首振り装置と、この首振り装置に設けた首振り用の回転軸と、この回転軸より垂下されたファン用のモータベースと、このモータベースに風達俯角調整部材を介して設けたファン用のモータと、このモータの軸に設けたファンとで構成し、かつこの防霜ファンは、前記第３角柱に設けたカバー兼支持体の上方に設けられた傾斜俯角調整板及び締付具を介して設ける構成とし、この防霜ファンの傾斜俯角調整を、前記傾斜俯角調整板及び締付具を介して、第３角柱の略軸芯近傍で行う構成とした茶園用の昇降型低所防霜ファン装置である。
【００１１】
【発明の実施の形態】
図１は防霜ファンを茶畝内に収容した状態の斜視図、図２は防霜ファンを収容した状態の側断面図、図３は防霜ファンを収容した状態の一部省略の正面断面図、図４は防霜ファンを茶畝上に設置した状態の斜視図、図５は防霜ファンの上昇した状態の一部省略の側断面図、図６は防霜ファンの上昇した状態の一部省略の正面断面図、図１１はワイヤを巻胴体に捲装した要部の拡大側断面図、図１２は旋回装置の一例を示す一部省略の拡大斜視図、図１３は図１２の旋回装置の平面図、図１４は図１２の旋回装置の側面図、図１５は他の旋回装置の一例を示す一部省略の拡大斜視図、図１６は図１５の拡大模式図、をそれぞれ示す。
【００１２】
前記図１〜図３の収容状態から図４〜図６の上昇状態に到るには、カバー兼支持体内に収容されている巻取りモータを作動し（正転して）、巻胴体を正転してワイヤを順次巻取っていく。このワイヤの巻取りにより第３角柱の上昇と、当該第３角柱と第１角柱との間に係止した他のワイヤが緊張されていく（一方側を順次引上げていく）。従って、この第３角柱と第２角柱の上昇とが、略同時に行われていき、この第３角柱が上昇限に達した段階では、第２角柱も略上昇限であり、丁度、防霜ファンが茶畝（茶樹）上に設置される。この設置後、着霜状態に近くなったときは、防霜ファンを駆動して、茶樹に送風する構成である。尚、ワイヤ、他のワイヤにガイド、滑車等の手段を設けることもある（以下、同じ）。
【００１３】
前記図４〜図６の上昇状態から図１〜図３の収容状態に到るには、巻取りモータを作動し（逆転して）、巻胴体を逆転してワイヤを順次巻戻す。このワイヤの巻戻しにより第３角柱の降下と、当該第３角柱と第１角柱との間に係止した他のワイヤが弛緩される（略全体が降下する）。従って、この第３角柱と第２角柱の降下とが、略同時に行われていき、この第３角柱が降下限に達した段階では、第２角柱も略降下限となっており、丁度防霜ファンが茶畝内に収容される。
【００１４】
尚、図８〜図１１の例では、ワイヤが巻胴体と第ｎ−１角柱〜第１角柱の間に係止されているので、このワイヤを滑車３４，３６等を介して順次巻取ると、第ｎ角柱〜第２角柱は順次上昇する。この上昇等は前述と略同じである。またワイヤを順次巻戻すと、第ｎ角柱〜第２角柱は順次降下する。この降下等は前述と略同じである。
【００１５】
また図１２〜図１６は防霜ファンの旋回を図る旋回装置の一例である。傾斜俯角調整板等に設けた長孔等と止具を利用して、当該傾斜俯角調整板を旋回し、防霜ファンの送風方向（向き）を変更する。例えば、止具を弛緩して傾斜俯角調整板を旋回し、この旋回位置で、弛緩した止具を緊締して固定する。これにより、防霜ファンの送風方向が変更される。尚、図示しないが傾斜俯角調整板に代え、防霜ファンの取付板で旋回することもできる。
【００１６】
【実施例】
以下、本発明の一実施例を図面に基づいて説明する。
【００１７】
１は伸縮自在で茶畝（Ｈ）内に略収容（収容とする。）される四角筒、六角筒、多角筒等の筒体でなる支柱で、この支柱１は茶畝（Ｈ）内の地中（Ｈ１）に埋設された短寸の第１角柱１１１と、この第１角柱１１１に入れ子式に挿設される第２角柱１１２と、この第２角柱１１２に入れ子式に挿設される第３角柱１１３〜第ｎ角柱（図示せず。以下同じ）とで構成されている。そして、この第１角柱１１１，第２角柱１１２〜第ｎ−１角柱（図示せず。以下同じ）間にはそれぞれ案内ロ−ラ２が設けられており、また第２角柱１１２〜第ｎ角柱間にはそれぞれ案内ロ−ラ２ａが設けられており、当該第２角柱１１２及び第３角柱１１３（〜第ｎ角柱“以下省略する。”）がスムーズに昇降できる構成となっている。従って、第２・第３角柱１１２・１１３は、縮小状態では地中（Ｈ１）に設けられ、また上昇（伸張）状態では茶畝（Ｈ）上に設けられる構造となっている。尚、この支柱１は、前述の短寸の第１角柱１１１〜第３角柱１１３に限定されない。また場合により、第１角柱１１１，第２角柱１１２の二本等もある。
【００１８】
３は第２・第３角柱１１２・１１３を昇降する昇降手段で、この昇降手段３は、第３角柱１１３の上端に設けたカバー兼支持体４内に設けたモータ３１と、このモータ３１に設けた巻胴体３２と、この巻胴体３２と第２角柱１１２との間に係止したワイヤ３３（捲掛媒体）と、このワイヤ３３が捲掛られる第３角柱１１３に設けた滑車３４と、前記第３角柱１１３と第２角柱１１２の間に係止した他のワイヤ３５（捲掛媒体）と、この他のワイヤ３５が捲掛られる第２角柱１１２に設けた滑車３６と、で構成されている。従って、モータ３１の正逆転を介してワイヤ３３の巻取り・巻戻されるとともに、前記他のワイヤ３５が緊張・弛緩される。このワイヤ３３が巻取りと他のワイヤ３５の緊張により、第２・第３角柱１１２・１１３が上昇し、逆にこのワイヤ３３の巻戻しと他のワイヤ３５の弛緩により、第２・第３角柱１１２・１１３が降下する構造である。図中Ａはワイヤ３３の係止部、Ｂ、Ｂ’は他のワイヤ３５の係止部を示す。尚、このワイヤ３３、他のワイヤ３５等の本数は限定されない。前記滑車３４，３６は案内ローラを兼ねる。
【００１９】
図１１（図５，図６参照）の例の如く、巻胴体３２と第２・第３角柱１１２・１１３（第ｎ−１角柱）間にそれぞれワイヤ３３を係止する構成では、この各ワイヤ３３を巻胴体３２にそれぞれ巻取り・巻戻しする。
【００２０】
５は防霜ファンで、この防霜ファン５の一例を図７の例を参照として説明すると、この防霜ファン５は、前記カバー兼支持体４の上方に設けたモータ、伝達機構、リンク機構等が内蔵されている首振り装置５１と、この首振り装置５１に設けた首振り用の回転軸５２と、この回転軸５２より垂下されたファン用のモータベース５３と、このモータベース５３に風達俯角調整部材５４を介して設けたファン用のモータ５５と、このモータ５５の軸５６に設けられたファン５７とで構成されている。尚、この防霜ファン５は、傾斜俯角調整板６及び締付具７を介してカバー兼支持体４に設けられている。またこの防霜ファン５は、支柱１の略軸芯１ａ近傍で傾斜俯角調整できるので、当該防霜ファン５の安定的かつ確実な傾斜俯角調整が行える特徴がある。図中５８はファン５７用のガードで、必要により設けられる。
【００２１】
８は防霜ファン５の旋回装置で、この旋回装置８の一例を図１２〜図１６を参照して説明すると、カバー兼支持体４に一個又は数個設けた長孔６１と、この長孔６１を介してカバー兼支持体４に螺入・螺脱される止具９で構成されており、この止具９を弛緩した状態で、防霜ファン５を旋回し、その後、止具９を緊締して、長孔６１部に固定する。尚、図１５、図１６では傾斜俯角調整板６に一個又は数個設けた螺孔６２と、この螺孔６２を介してカバー兼支持体４に螺入・螺脱される止具９で構成されており、その取扱いは前述の例と略同様である。尚、図中ＧＬは地面である。
【００２２】
【発明の効果】
請求項１の発明では、茶畝内の支柱は、短寸の第１角柱〜第３角柱からなり、内第１角柱を前記茶畝内の地中に埋設するとともに、第３角柱に傾斜俯角調整可能、かつ風達俯角調整可能な防霜ファンを設け、地中の第１角柱に、第２角柱と、第３角柱を挿設し、防霜ファンを茶畝内に収容できる構成であって、第３角柱に設けたモータと、モータの軸に設けた巻胴体と、第２角柱に係止し、かつ第３角柱の滑車を介して、巻胴体に係止したワイヤと、第１角柱に係止し、かつ第２角柱の滑車を介して、第３角柱に係止した他のワイヤで構成されている茶園用の昇降型低所防霜ファン装置である。従って、支柱を地中浅く埋設でき、かつ支柱用の穴の穿設に要する時間、労力等の軽減化が図れ、しかも地中の掘り起こし及び支柱設置等の簡便化、支柱の設置場所の省スペース化が図れる。
【００２３】
請求項２の発明では、請求項１に記載の茶園用の昇降型低所防霜ファン装置において、防霜ファンの風達俯角調整を、第３角柱に設けたカバー兼支持体の上方に設けられたモータ、伝達機構、リンク機構等が内蔵されている首振り装置と、首振り装置に設けた首振り用の回転軸と、回転軸より垂下されたファン用のモータベースと、モータベースに風達俯角調整部材を介して設けたファン用のモータと、モータの軸に設けたファンとで構成し、かつ防霜ファンは、第３角柱に設けたカバー兼支持体の上方に設けられた傾斜俯角調整板及び締付具を介して設ける構成とし、防霜ファンの傾斜俯角調整を、傾斜俯角調整板及び締付具を介して、第３角柱の略軸芯近傍で行う構成とした茶園用の昇降型低所防霜ファン装置である。従って、防霜ファンの傾斜俯角の維持が、安全かつ簡易に行える。また機器の耐久性の向上等が図れる。
【００２４】
【図面の簡単な説明】
【図１】防霜ファンを茶畝内に収容した状態の斜視図である。
【図２】防霜ファンを収容した状態の側断面図である。
【図３】防霜ファンを収容した状態の一部省略の正面断面図である。
【図４】防霜ファンを茶畝上に設置した状態の斜視図である。
【図５】防霜ファンの上昇した状態の一部省略の側断面図である。
【図６】防霜ファンの上昇した状態の一部省略の正面断面図である。
【図７】防霜ファンの拡大側断面図である。
【図８】支柱が降下した状態の要部の拡大側断面図である。
【図９】支柱が上昇した状態の第１角柱と第２角柱との関係を示す拡大側断面図である。
【図１０】支柱が上昇した状態の第２角柱と第３角柱との関係を示す拡大側断面図である。
【図１１】ワイヤを巻胴体に捲装した要部の拡大側断面図である。
【図１２】防霜ファンの旋回装置の一例を示す一部省略の拡大斜視図である。
【図１３】図１２の旋回装置の平面図である。
【図１４】図１２の旋回装置の側面図である。
【図１５】防霜ファンの他の旋回装置の一例を示す一部省略の拡大斜視図である。
【図１６】図１５の拡大模式図である。
【符号の説明】
１            支柱
１ａ          軸芯
１１１        第１角柱
１１２        第２角柱
１１３        第３角柱
２            案内ローラ
２ａ          案内ローラ
３            昇降手段
３１          モータ
３２          巻胴体
３３          ワイヤ
３４          滑車
３５          他のワイヤ
３６          滑車
４            カバー兼支持体
５            防霜ファン
５１          首振り装置
５２          回転軸
５３          モータベース
５４          風達俯角調整部材
５５          モータ
５６          軸
５７          ファン
５８          ガード
６            傾斜俯角調整板
６１          長孔
６２          螺孔
７            締付具
８            旋回装置
９            止具
Ａ            係止部
Ｂ            係止部
Ｂ’          係止部
ＧＬ          地面
Ｈ            茶畝
Ｈ１          地中
【図１】
0004042879.tif 000002
【図２】
0004042879.tif 000003
【図３】
0004042879.tif 000004
【図４】
0004042879.tif 000005
【図５】
0004042879.tif 000006
【図６】
0004042879.tif 000007
【図７】
0004042879.tif 000008
【図８】
0004042879.tif 000009
【図９】
0004042879.tif 000010
【図１０】
0004042879.tif 000011
【図１１】
0004042879.tif 000012
【図１２】
0004042879.tif 000013
【図１３】
0004042879.tif 000014
【図１４】
0004042879.tif 000015
【図１５】
0004042879.tif 000016
【図１６】
0004042879.tif 000017